(57)【要約】【課題】本発明は、反射屈折型の医療用イメージングシステム（１）、特に手術用顕微鏡（２）に関する。【解決手段】外科手術中には、手術腔（６）に関して、特に手術腔（６）の内腔壁（４）にある組織（２９）の種類に関して、より多くの情報を取得する必要があることがある。上記の問題を解決するために、本発明による反射屈折型の医療用イメージングシステム（１）は、カメラ装置（８）と、手術腔（６）内に挿入されるように構成された凸面反射鏡（２０）と、を含む。反射鏡（２０）は、アーム（２２）に取り付けられており、カメラ装置（８）から離間されている。【選択図】図１
2019159324.tif 000002
【特許請求の範囲】
【請求項１】
手術腔（６）の内腔壁（４）を観察するための反射屈折型の医療用イメージングシステム（１）、特に手術用顕微鏡（２）であって、
カメラ装置（８）と、
前記手術腔（６）内に挿入されるように構成された凸面反射鏡（２０）と、
を含む反射屈折型の医療用イメージングシステム（１）。
【請求項２】
前記反射鏡（２０）は、魚眼鏡である、
請求項１記載の反射屈折型の医療用イメージングシステム（１）。
【請求項３】
前記反射鏡（２０）にマーカー（７４）が設けられており、
前記マーカー（７４）は、反射率、蛍光発光および透明度のうちの少なくとも１つに関して前記マーカー（７４）の直近周囲とは異なっている、
請求項１または２記載の反射屈折型の医療用イメージングシステム（１）。
【請求項４】
前記マーカー（７４）は、可視光スペクトルの外側の光を反射または放射する、
請求項３記載の反射屈折型の医療用イメージングシステム（１）。
【請求項５】
前記反射鏡（２０）は、光源（７６）を含む、
請求項１から４までのいずれか１項記載の反射屈折型の医療用イメージングシステム（１）。
【請求項６】
コントローラ（３６）が設けられており、
前記コントローラ（３６）は、前記カメラ装置（８）の視野（２４）を前記反射鏡（２０）に自動的に調整するように構成されている、
請求項１から５までのいずれか１項記載の反射屈折型の医療用イメージングシステム（１）。
【請求項７】
前記コントローラ（３６）は、前記マーカー（７４）に基づいて、前記カメラ装置（８）の前記視野（２４）を前記反射鏡（２０）に自動的に調整するように構成されている、
請求項４を引用する請求項６記載の反射屈折型の医療用イメージングシステム（１）。
【請求項８】
前記コントローラ（３６）は、前記反射鏡（２０）によって前記カメラ装置（８）の視野（２４）を自動的に満たすように構成されている、
請求項６または７記載の反射屈折型の医療用イメージングシステム（１）。
【請求項９】
前記反射鏡（２０）は、アーム（２２）に取り付けられている、
請求項１から８までのいずれか１項記載の反射屈折型の医療用イメージングシステム（１）。
【請求項１０】
駆動システム（３０）が設けられており、
前記駆動システム（３０）は、前記反射鏡（２０）を前記カメラ装置（８）に対して移動させるように構成されている、
請求項１から９までのいずれか１項記載の反射屈折型の医療用イメージングシステム（１）。
【請求項１１】
補正モジュール（４６）が設けられており、
前記補正モジュール（４６）は、前記反射鏡（２０）の歪みを補正するように構成されている、
請求項１から１０までのいずれか１項記載の反射屈折型の医療用イメージングシステム（１）。
【請求項１２】
前記補正モジュール（４６）は、前記カメラ装置（８）と前記反射鏡（２０）との間に配置された補正光学系（４８）を含む、
請求項１１記載の反射屈折型の医療用イメージングシステム（１）。
【請求項１３】
画像処理装置（５２）が設けられており、
前記補正モジュール（４６）は、前記画像処理装置（５２）の一部である、
請求項１１または１２記載の反射屈折型の医療用イメージングシステム（１）。
【請求項１４】
手術腔（６）の内腔壁（４）をイメージングする方法であって、
前記手術腔（６）に凸面反射鏡（２０）を挿入するステップと、
前記反射鏡（２０）をカメラ装置（８）の視野（２４）内に配置するステップと、
を含む方法。
【請求項１５】
手術腔（６）の内腔壁（４）をイメージングするための、凸面反射鏡（２０）に向けられたカメラ装置（８）を併用する、凸面反射鏡（２０）の使用方法。
【発明の詳細な説明】
【技術分野】
【０００１】
本発明は、手術腔の内腔壁を観察するための反射屈折型の医療用イメージングシステムに関する。
【背景技術】
【０００２】
外科手術中、特に手術腔が拡大して、正面からの眺めでは観察不可能なアンダーカット部を形成する場合には、手術腔の構造に関する情報を外科医が取得することが困難になることが多い。
【発明の概要】
【発明が解決しようとする課題】
【０００３】
本発明の課題は、そのような情報を取得するためのシステムおよび方法を提供することである。
【課題を解決するための手段】
【０００４】
上記の課題は、本発明によれば、手術腔の内腔壁を観察するための反射屈折型の医療用イメージングシステムが、カメラ装置と、手術腔内に挿入されるように構成された凸面反射鏡と、を含むことによって解決される。
【０００５】
本発明は、手術腔の内腔壁をイメージングする方法であって、手術腔内に凸面反射鏡を挿入するステップと、カメラ装置の視野を手動または自動で凸面反射鏡に向けるステップと、を含む方法にも関する。
【０００６】
最後に、本発明は、手術腔の内腔壁をイメージングするための、凸面反射鏡に向けられたカメラ装置を併用する、凸面反射鏡の使用方法にも関する。
【０００７】
凸面反射鏡を使用することにより、手術腔の内腔壁が反射鏡内で反射されるので、手術腔の内部の概観を外科医が取得することが可能となる。凸型形状により、視野を手術腔の大部分にわたって拡大させることが可能となる。アームにより、凸面反射鏡を腔内に配置することが可能となる。カメラ装置は、手術腔の内腔壁の鏡像を記録する。
【０００８】
反射屈折型の医療用イメージングシステムは、特に、脳外科手術用顕微鏡のような手術用顕微鏡とすることができる。
【０００９】
以下の特徴の各々は、それぞれ単独でも利点を有しているので、相互に独立して組み合わせることができる以下の特徴のうちの１つまたは複数を追加することによって、本発明をさらに改善することができる。以下の追加的な特徴は、本発明による方法およびシステムの両方に適用される。
【００１０】
例えば反射鏡を、外科手術中に手術腔内とカメラ装置の視野内とに配置することができる。反射鏡は、例えばアームに取り付けることができる解除可能な連結部を有するようにすることによって、手術腔内に載置されることができる別個の部分とすることができる。そのような連結部として吸引キャップをアームに設けることができ、この吸引キャップは、手術腔内にアームを載置するため、または手術腔からアームを除去するために、表面に、例えば鏡面に係合するように構成されている。代替的に、反射鏡を永続的にアームに取り付けてもよい。連結部には、好ましくはリモート解除部が設けられており、したがって、腔内での鏡の配置が済むと、この鏡をアームから取り外すことが可能である。
【００１１】
反射鏡を、カメラ装置の光軸に対して固定された位置に配置することができる。特に、反射鏡を、カメラ装置の光軸を中心にしてセンタリングすることができる。光軸に対して反射鏡の位置を固定することにより、鏡の凸型形状に起因する鏡像の歪みの如何なる補正も容易になる。
【００１２】
別の有利な実施形態では、反射鏡を、魚眼鏡とすることができる。特に、反射鏡のカメラ装置によって記録される画像における対角画角を、少なくとも１２０°、好ましくは少なくとも１８０°とすることができる。別の実施形態では、カメラ装置によって記録される反射鏡の画像における画角を、水平方向および垂直方向の少なくとも一方向において少なくとも１２０°、好ましくは少なくとも１８０°とすることができる。
【００１３】
反射鏡の直径の典型的な寸法は、５ｍｍ〜２０ｍｍの間とすることができる。
【００１４】
鏡の基部は、円形または多角形とすることができる。特に、鏡の基部をカメラ装置の視野の形状に対応させることができる。例えば半球面状、楕円状、放物面状、または双曲面状のような任意の凸型形状が可能である。基部の形状を、手術腔の形状および／または寸法に適合させることができる。それぞれ異なる寸法および／または形状を有する一組の反射鏡を設けることができる。迅速な交換のために、クイックリリースホルダを介して反射鏡をアームに取り付けることができる。
【００１５】
反射鏡に少なくとも１つのマーカーを設けることができ、このマーカーは、当該マーカーの直近周囲とは異なるように光を反射または放射する。例えば、マーカーは、可視光スペクトルの外側の少なくともいくつかの波長において、これらの波長における当該マーカーの直近周囲の反射率よりも高いまたは低い反射率を有することができる。マーカーの反射率を、ＵＶ波長、ＩＲ波長およびＮＩＲ波長のうちの少なくとも１つのような、可視スペクトルの外側の少なくともいくつかの波長に限定することができる。可視スペクトル内では、マーカーの反射率を、当該マーカーの直近周囲の反射率と同じとすることができる。もちろん、マーカーの種々の反射率に、可視光スペクトルの波長を含めることもできる。
【００１６】
１つの実施形態では、光源を反射鏡に含めることができ、例えば反射鏡内に配置することができる。そのような場合には、マーカーにおける屈折鏡の透過率または透明度を、マーカーの直近周囲と比較して異なるようにすることができる。光源は、好ましくはもっぱら、ＵＶスペクトル、ＩＲスペクトルおよび／またはＮＩＲスペクトルのうちの少なくともいくつかの波長の光を放射することができる。反射鏡は、少なくとも反射鏡の内側から反射鏡を通って出射される光に対して透明性を有することができる。
【００１７】
別の追加的のまたは代替的な実施形態では、マーカーを蛍光性とすることができる。
【００１８】
カメラ装置は、マルチスペクトルカメラおよび／またはハイパースペクトルカメラを含むことができる。マーカーの蛍光発光、反射率、または透過率が、当該マーカーの直近周囲とは異なっており、このようにしてマーカーを識別することが可能となるような複数の波長を、マルチスペクトルカメラまたはハイパースペクトルカメラの別個のスペクトル帯域にマッピングすることができる。したがって、カメラ装置の１つのスペクトル領域を、反射鏡を視野内に位置合わせするために使用することができ、その一方で、残りのスペクトル帯域を、影響を受けることなく手術腔をイメージングするために使用することができる。
【００１９】
追加的または代替的に、少なくとも１つの蛍光体の蛍光光を使用して手術腔の画像を取得するために、マルチスペクトルおよび／またはハイパースペクトルカメラを使用することができる。手術腔内での蛍光体の蛍光発光を誘発するために、反射鏡は、少なくとも１つの蛍光体における蛍光発光を誘発する波長を含むスペクトルを有する光源を含むことができる。
【００２０】
マーカーを、反射鏡の位置および向きを自動的に検出するために使用することができる。マーカーを、カメラ装置の焦点を反射鏡に合わせるために使用することもできる。
【００２１】
別の実施形態では、カメラ装置にコントローラを設けることができ、このコントローラは、カメラ装置の視野、焦点距離および距離設定のうちの少なくとも１つを自動的に調整するように構成されている。特に、コントローラを、カメラ装置によって撮影された反射鏡のマーカーの画像に基づいて、カメラ装置の視野、焦点距離および距離設定のうちの少なくとも１つを自動的に調整するように構成することができる。特に、コントローラを、反射鏡の少なくとも一部によって視野を自動的に満たすように構成することができる。これらの手段は、個々に、反射屈折型の医療用イメージングシステムの自動的な操作を容易にする。なぜなら、コントローラは、手術腔の内部の画像のための最適な解像度を獲得するために、反射鏡の存在を自動的に検出して、カメラ装置の必要な調整を自動的に実施することができるからである。したがって、反射鏡が手術腔内に挿入されると、手術腔に関する情報を自動的に取得することができる。コントローラは、ＡＳＩＣのようなハードウェアデバイスとすることができる。すなわち、コントローラをソフトウェアで実装することができるか、またはコントローラをハードウェアとソフトウェアの組み合わせを使用して実装することができる。
【００２２】
反射鏡は、手持ち式とすることができる。この場合にはアームは、ハンドルを含むことができる。このようにして反射鏡を手で操作することができる。
【００２３】
別の実施形態では、アームは、例えば反射屈折型の医療用イメージングシステムのフレームに取り付けられることによって、少なくとも間接的にカメラ装置に取り付けられている。アームの長さを手術腔の深さに合わせて調整することができるように、アームを伸縮自在とすることができる。特に、アームは、手動で取り扱うためのハンドルを含むことができ、さらに、アームをフレームに取り付けることができる。
【００２４】
アームは、内視鏡用チューブのような高可撓性のチューブとすることができ、要求に応じて剛性化されるように構成することができる。
【００２５】
反射鏡を、アームに接続することなく外科手術中に組織に取り付けることができる。この目的のために、鏡の基部に取り付け部分を設けることができ、この取り付け部分は、接着剤および／またはスパイクのような、組織との化学的結合および機械的結合の少なくとも一方を確立するための手段を含むことができる。そのような鏡を、例えば中空にするかまたは発泡体で充填することによって、また、鏡面として箔を有するようにすることによって、軽量にすることができる。
【００２６】
反射鏡をカメラ装置に対して移動させるために、駆動システムを含めることができる。このような相対的な可動性は、手術腔の特定の位置を調査するために鏡とカメラ装置との間で小さな相対移動が必要とされ得るような、複雑な幾何形状を有する手術腔にとって有利であろう。
【００２７】
駆動システムは、伸縮自在のアームを収縮および伸張させることによってカメラ装置と反射鏡との間の距離を変化させるために使用することができる。追加的または代替的に、カメラ装置に対して反射鏡を、カメラ装置の光軸に対して垂直な方向に移動させるように、駆動システムを構成することができる。
【００２８】
駆動システムは、好ましくはコントローラに結合されるように構成されている。例えば、反射鏡の駆動システムは、カメラ装置に対する反射鏡の位置を表す位置決めデータを提供することができる。コントローラを、位置決めデータから焦点距離および／または距離のようなカメラ装置の設定を計算するように構成することができる。
【００２９】
アームは、カメラ装置の光軸と同軸に延在することができる。アームは、反射鏡の中心点から延在することができる。そのような構成では、動作時にカメラ装置を反射し、したがって手術腔に関する如何なる情報ももたらさないであろう反射鏡の位置に、アームが配置される。
【００３０】
立体視カメラが使用される場合には、２つの立体視カメラの２つの光軸の二等分線と一致するように、アームを配置することができる。
【００３１】
有利な１つの実施形態では、アームは、手術腔内の組織の損傷を回避するために、光軸に対して垂直な方向および平行な方向の少なくとも一方向において可撓性である。可撓性は、アームを少なくとも部分的に可撓性材料から製造すること、またはアームに沿った少なくとも１つの位置に少なくとも１つの可撓性のジョイント部を設けること、の少なくとも一方によって得ることができる。
【００３２】
アームの曲げに反応し、アームの曲げ量を表す曲げ信号を出力するように構成されているセンサを設けることができる。そのようなセンサを使用して、曲げ信号において表される所定の曲げ量に到達すると、反射鏡を手術腔に対して移動させるあらゆる駆動システムを自動的に停止させることができる。これは、手術腔内の組織への損傷を防止するための別の１つの手段である。
【００３３】
別の実施形態では、少なくとも１つのマーカーが視野内の所定の位置にくるように、好ましくは、反射鏡をカメラ装置に対して自動的に移動させるように、駆動システムを構成することができる。
【００３４】
カメラ装置の焦点距離を、カメラ装置の視野が反射鏡の一部のみによって満たされるように調整することができる。これにより、手術腔または反射鏡のそれぞれ特定の部分に焦点を合わせることが可能になる。そのような構成では、駆動システムが、反射鏡をカメラ装置に対して移動させることにより、視野を手術腔の種々異なる部分に移動させるように構成されていると、特に有益であろう。このようにして、反射屈折型の医療用イメージングシステムを、反射鏡の表面と手術腔の鏡像とを走査するように構成することができる。
【００３５】
反射屈折型の医療用イメージングシステムは、画像処理装置を含むことができ、この画像処理装置は、ハードウェア、ソフトウェア、またはハードウェアとソフトウェアの組み合わせで実現することができる。画像処理装置は、好ましくは、カメラ装置によって記録された反射鏡の複数の異なる部分の画像を１つの出力画像に、好ましくはただ１つの出力画像に結合またはスティッチングするように構成されている。カメラ装置から観察されるように反射系における鏡像を表すために２つ以上の画像を組み合わせることにより、解像度が増加する。
【００３６】
別の実施形態では、反射屈折型の医療用イメージングシステムは、反射鏡から離間されている照明装置を含むことができる。特に、外科手術中には、照明装置を手術腔の外側に配置することができる。照明装置を反射鏡に向けることができ、このようにして手術腔を照明するために照明装置を使用することができる。照明は、可視領域において、かつ／またはＵＶ領域、ＩＲ領域およびＮＩＲ領域のうちの少なくとも１つの領域において実施することができる。照明装置を、少なくとも１つの蛍光体の蛍光発光を誘発するために使用することもできる。照明装置による照明は、例えば照明装置からの光をカメラ装置の光軸と同軸に向けることによって実施することができる。
【００３７】
別の実施形態では、カメラ装置によって記録される反射鏡の照明装置の反射を、上述したように、反射鏡をカメラ装置に対して位置決めするためのマーカーとして使用することができる。
【００３８】
半球面鏡のような凸面反射鏡を使用すると、カメラ装置によって記録される画像が歪んでしまう。このことは、外科医による画像の視覚的検査を困難にするおそれがある。したがって、反射屈折型の医療用イメージングシステムが、反射鏡の歪みを補正するように構成された補正モジュールを含むと有利である。補正モジュールは、反射鏡とカメラ装置との間に配置された補正光学系を含むことができる。そのような光学補正装置は、カメラのフル解像度を使用することができるという利点を有する。
【００３９】
補正モジュールは、ハードウェアおよび／またはソフトウェアによって実装することもでき、イメージングシステムの画像処理装置の一部とすることもできる。
【００４０】
好ましくは、画像処理装置からの出力画像は、凸面反射鏡による光学歪みに関して補正される。
【００４１】
以下では、本発明の実施形態を、図面を参照しながら例示的に説明する。図面では、機能および／または設計に関して相互に対応する要素には同じ参照符号が使用されている。考えられる追加的な特徴および各々の技術的効果に関する上記の説明によれば、ある特徴に関連する技術的効果が特定の用途にとって有益ではない場合に、この特徴を実施形態から省略することが可能であり、またその逆も可能である。すなわち、特定の用途に対して、上述したある追加的な特徴の技術的効果が有利である場合には、この追加的な特徴を実施形態に追加することができる。
【図面の簡単な説明】
【００４２】
【図１】本発明による反射屈折型の医療用イメージングシステムの概略図である。
【図２】本発明による反射屈折型の医療用イメージングシステムに使用される反射鏡の概略図である。
【発明を実施するための形態】
【００４３】
図１を参照しながら、まず始めに、手術用顕微鏡２のような反射屈折型の医療用イメージングシステム１の設計および機能を説明する。反射屈折型の医療用イメージングシステム１は、脳外科手術における手術腔のような手術腔６の内腔壁４を観察するために使用されるが、任意の他の種類の手術腔のためにも使用される。
【００４４】
反射屈折型の医療用イメージングシステム１は、カメラ装置８を含み、このカメラ装置８をレンズ１２、特に顕微鏡レンズと一緒に光学系担体１０に配置することができる。反射屈折型の医療用イメージングシステム１は、照明装置１４を含むこともでき、この照明装置も光学系担体１０に含めることができる。照明装置１４からの光をカメラ装置８の光軸１８と同軸に手術腔６に向けて入射させるために、ビームスプリッタ１６を設けることができる。手術腔６からカメラ装置８に向けられる光は、ビームスプリッタ１６によって照明装置１４からの光から分離される。
【００４５】
カメラ装置８は、マルチスペクトルカメラまたはハイパースペクトルカメラを含むことができる。カメラ装置８は、例えば立体視イメージング用の、２つ以上の単一のカメラを含むことができる。カメラ装置８は、ＵＶスペクトル、ＩＲスペクトルおよびＮＩＲスペクトルのうちの少なくとも１つにおいて感受性を有することができる。追加的にまたは代替的に、カメラ装置８は、手術腔６の内部の三次元画像を取得することができるように立体視カメラを含むことができる。
【００４６】
照明装置１４は、可視光スペクトル、ＵＶスペクトル、ＩＲスペクトルおよびＮＩＲスペクトルのうちの少なくとも１つにおける照明光を供給することができる。
【００４７】
手術腔６の内腔壁４を観察するために、凸面反射鏡２０が設けられている。反射鏡２０は、手術腔６内に挿入されるように構成されている。挿入するためにアーム２２が設けられている。
【００４８】
凸面反射鏡２０は、カメラ装置８の視野２４内に配置されており、好ましくは、反射鏡２０によって視野２４が少なくともほぼ完全に満たされるように配置されている。
【００４９】
反射鏡２０は、好ましくは、少なくとも１２０°、好ましくは１８０°の対角画角を有する魚眼鏡である。さらにより好ましくは、カメラ装置８によって記録される画像の水平方向および垂直方向の少なくとも一方向における画角は、少なくとも１２０°、好ましくは１８０°である。これにより、凸面反射鏡２０がカメラ装置８とは反対側にある手術腔６の内腔壁４またはその近傍にある場合に、手術腔６の大部分または全部を調査することが可能になる。凸面反射鏡２０の形状は、例えば（半）球面状、放物面状、双曲面状、または楕円状とすることができる。凸面反射鏡２０は、回転対称性を有することができ、カメラ装置８の光軸１８に位置合わせされる。なお、カメラ装置８とは反対側を向いている、凸面反射鏡２０の基部２６は、光軸１８に対して垂直である。
【００５０】
アーム２２は、ハンドル２８を有するようにすることによって、外科医または助手によって手動で取り扱われるように構成することができる。手術腔６内の如何なる組織２９への損傷をも回避するために、アーム２２は、自身の長手方向および長手方向に対して垂直な方向の少なくとも一方向において可撓性であり、好ましくは両方の方向において可撓性である。アーム２２の剛性は、好ましくは手術腔６内の組織２９の剛性以下である。反射鏡をアームに解除可能に取り付けるために、リモートで解除可能な連結部を設けることができる。
【００５１】
別の実施形態では、反射鏡が手術腔内に単独で載置される。基部２６には、当該基部２６を組織２９に取り付けるための取り付け部分２７を設けることができる。この取り付け部分２７は、反射鏡２０がアーム２２なしで手術腔６に留まる場合に、特に有用である。取り付け部分２７は、組織２９との化学的結合および機械的結合の少なくとも一方を確立するための手段、例えば接着剤および／またはスパイクまたはフックを含むことができる。
【００５２】
しかしながら、好ましくは、反射鏡２０は、駆動システム３０に解除可能に取り付けられており、かつ／または反射鏡２０を、駆動システム３０に解除可能に取り付けられるように構成することができる。矢印３２で示されるように、駆動システム３０は、カメラ装置８に対して反射鏡２０を、好ましくは３つの空間次元すべてにおいて移動させるように構成されている。駆動システム３０を、反射屈折型の医療用イメージングシステム１の支持フレーム３４に対して固定させることができる。なお、支持フレームは、概略的にしか図示されていない。支持フレーム３４は、好ましくは手術腔６に対して静止している。光学系担体１０は、光学系担体１０を支持する旋回可能な片持ち式のブームに取り付けられることによって、支持フレーム３４に対して移動することが可能である。
【００５３】
反射屈折型の医療用イメージングシステム１には、例えば反射屈折型の医療用イメージングシステム１の、外科医によって操作されるマニピュレータ３７に応答して、駆動システム３０を制御するためのコントローラ３６を設けることができる。これにより、反射鏡２０を手術腔６内で移動させることが可能となり、ひいては、アンダーカット部のような複雑な内部形状を有する手術腔を調査することが可能となる。
【００５４】
動作中、カメラ装置８は、それぞれに複数の画素４４からなるフレーム４２の時系列４０として画像データ３８を出力する。
【００５５】
フレーム４２によってまたはフレーム４２において表されるような、反射鏡２０から収集された画像は、凸面反射鏡２０の形状に起因して歪んでしまう。この歪みは、外科医または助手によるフレーム４２の視覚的分析を妨げるおそれがある。
【００５６】
反射鏡２０によって引き起こされる歪みを補正するため、または少なくとも軽減するために、補正モジュール４６を設けることができる。補正モジュール４６は、好ましくは手術腔６とカメラ装置８との間に配置される補正光学系４８を含むことができる。好ましくは、補正光学系４８を迅速に取り付けおよび取り外しすることが可能であり、例えば、補正光学系４８をカメラ装置８の視野２４内に移動させることが可能である。例えば、補正光学系４８をカメラ装置８の正面に、特にレンズ１２の正面に旋回させるため、かつ元の位置に戻すための支持体５０を設けることができる。
【００５７】
反射屈折型の医療用イメージングシステム１はさらに、画像処理装置５２を含むことができ、この画像処理装置５２は、補正モジュール４６または補正モジュール４６の一部を含むこともでき、なお、補正モジュール４６は、この場合にはソフトウェアまたは電子ハードウェアとして実装することができる。画像処理装置５２の補正モジュール４６は、画像データ３８における凸面反射鏡２０の歪みを補正するように構成されている。例えば、画像処理装置５２を、反射鏡２０の立体視画像から歪みのない３次元画像を計算するように構成することができる。最適な結果を得るために、画像処理装置５２によって実施される画像歪み補正を、補正光学系４８と一緒に使用することができる。
【００５８】
反射屈折型の医療用イメージングシステム１はさらに、少なくとも１つのディスプレイ５４を含むことができ、このディスプレイ５４を光学系担体１０に組み込むことができる。ディスプレイ５４は、画像処理装置５２に結合されており、画像データ３８から導出された出力画像データ５６を表示するように構成されている。例えば、出力画像データ５６は、少なくとも１つの歪み補正されたフレーム４２に基づく出力フレーム５８を含むことができる。ディスプレイ５４は、出力フレーム５８の一部分６０のみを表示することができる。この部分６０を、反射屈折型の医療用イメージングシステム１のマニピュレータ６２の操作に応じて出力フレーム５８内で移動させることができる。
【００５９】
出力フレーム５８内での部分６０の移動を、バーチャルリアリティシステム、例えば動き感知式のゴーグルをディスプレイ５４として反射屈折型の医療用イメージングシステム１に含めることによって実施することもできる。
【００６０】
図２は、凸面反射鏡２０およびアーム２２の例示的な実施形態を示す。凸面反射鏡２０は、単に説明する目的で、半球面状の鏡面７０を有するものとして図示されている。手術腔の内部を調査することを可能にする任意の他の形状を使用してもよい。反射鏡２０の基部２６は、円形として図示されているが、任意の形状とすることも可能であり、例えば仮想の線７２で示唆するように長方形などの多角形とすることも可能である。長方形の基部７２を、その比率に関して、カメラ装置８によって記録されるフレーム４２の各辺の比率に対応するように適合させることができる。長方形の基部７２は、視野２４が反射鏡２０によって完全に満たされることを可能にする。
【００６１】
反射鏡２０には、少なくとも１つのマーカー７４を設けることができ、このマーカー７４は、当該マーカー７４の直近周囲とは異なる蛍光発光、反射率および／または透過率を有する。例えば、マーカー７４は、ＵＶ、ＩＲ、またはＮＩＲのような光スペクトルの不可視部分において、または可視光スペクトルの１つまたは複数の波長において、増加または減少された反射率を有することができる。追加的または代替的に、マーカー７４を蛍光性とすることができる。手動でまたは駆動システム３０を使用して、カメラ装置８の光軸１８に対する反射鏡２０の位置を調整するために、マーカー７４を使用することができる。光軸１８を中心として複数のマーカー７４を配置することが可能である。マーカー７４は、ＬＥＤのような光源とすることもできるか、またはＬＥＤのような光源を含むこともできる。
【００６２】
別の実施形態では、反射鏡２０の内部から外部へと光が通過することを可能にするために、反射鏡２０を少なくとも部分的に透明または半透明にすることができる。特に、マーカー７４における透明度を、当該マーカー７４の直近周囲の透明度とは異なるようにすることができる。したがって、マーカー７４を通過する光によって、当該マーカー７４を自動的に認識および識別することが可能になる。
【００６３】
反射鏡２０の内側に光源７６を配置することができる。光源７６は、可視光スペクトル、ＵＶスペクトル、ＩＲスペクトルおよびＮＩＲスペクトルのうちの少なくとも１つにおける照明光を放射することができる。手術腔６の境界を成している組織２９に少なくとも１つの蛍光体７８（図１）が注入される場合には、光源７６からの光を使用して、手術腔６の内腔壁４における蛍光発光を誘発することができる。反射屈折型の医療用イメージングシステム１に、光源７６からの光を遮断するための帯域消去フィルタ（図示せず）を設けることができる。
【００６４】
光源７６は、例えば、少なくとも１つ（または複数）のＬＥＤ８２を含むことができる。反射鏡２０は、光源７６を駆動するための電源８４と、例えば、反射屈折型の医療用イメージングシステム１のコントローラ３６との有線接続または無線接続のための通信モジュール８６と、を含むことができる。アーム２２を通って延在する電力線を介して光源７６に給電することもできる。
【００６５】
アーム２２は、図２に例示的に示されるように伸縮自在とすることができる。アーム２２の伸張または収縮を、駆動システム３０によって駆動することができる。
【００６６】
アーム２２の端部に、反射鏡２０に解除可能に係合させるための連結部８７を設けることができ、例えば、アーム２２の端部に、真空を用いて鏡面７０に係合させるための吸引キャップを設けることができる。反射鏡２０を載置するため、および取り上げるために、連結部８７を使用することができる。
【００６７】
アーム２２を可撓性材料から形成する代わりにまたはそれに加えて、反射鏡２０とハンドル２８（存在する場合）または駆動システム３０との間に１つまたは複数のジョイント部８８を設けることができる。ジョイント部８８は、好ましくはアーム２２に可撓性を提供するように構成されている。ここでも、組織の損傷を阻止するために、アームの可撓性を組織２９の圧縮性よりも高くすべきである。ジョイント部８８は、好ましくは可撓性であり、したがって撓まれると復元力を及ぼすことができる。
【００６８】
曲げセンサ９０を設けることができ、この曲げセンサ９０は、好ましくはコントローラ３６に接続されている。曲げセンサ９０は、ジョイント部８８またはアーム２２全体の曲げ量を表す曲げ信号を出力するように構成されている。曲げ信号によって表される曲げ量が所定の量を超える場合に、駆動システム３０の如何なる動きをも停止するように、または元に戻すように、コントローラ３６を構成することができる。追加的または代替的に、アーム２２の曲げ量が大きすぎる場合に、曲げ信号によって警報信号をトリガすることができる。例えば、曲げ信号に応じて警報信号を出力するためのブザーおよび／またはＬＥＤ（図示せず）を、アーム２２に設けることができる。
【００６９】
組織２９に鏡２０を取り付けるべき場合には、この鏡２０を軽量にすべきである。そのような構成では、反射鏡２０を中空とすることができるか、または発泡体のような軽量の材料によって充填することができる。鏡面７０を箔によって形成してもよい。
【符号の説明】
【００７０】
１  反射屈折型の医療用イメージングシステム
２  手術用顕微鏡
４  手術腔の内腔壁
６  手術腔
８  カメラ装置
１０  光学系担体
１２  レンズ、特に顕微鏡レンズ
１４  照明装置
１６  ビームスプリッタ
１８  光軸
２０  凸面反射鏡
２２  アーム
２４  カメラ装置の視野
２６  凸面反射鏡の基部
２７  取り付け部分
２８  ハンドル
２９  手術腔の組織
３０  駆動システム
３２  矢印
３４  反射屈折型の医療用イメージングシステムまたは顕微鏡の支持フレーム
３６  コントローラ
３７  マニピュレータ
３８  画像データ
４０  時系列
４２  フレーム
４４  画素
４６  補正モジュール
４８  補正光学系
５０  補正光学系のための支持体
５２  画像処理装置
５４  ディスプレイ
５６  出力画像データ
５８  出力フレーム
６０  出力フレームのうちの表示される部分
６２  マニピュレータ
７０  鏡面
７２  仮想の線
７４  マーカー
７６  光源
７８  蛍光体
８２  ＬＥＤ
８４  電源
８６  通信モジュール
８７  連結部
８８  ジョイント部
９０  曲げセンサ
【図１】
2019159324.tif 000003
【図２】
2019159324.tif 000004
【外国語明細書】
2019159324.tif 000005
2019159324.tif 000006
2019159324.tif 000007
2019159324.tif 000008
2019159324.tif 000009
2019159324.tif 000010
2019159324.tif 000011
2019159324.tif 000012
2019159324.tif 000013
2019159324.tif 000014
2019159324.tif 000015
2019159324.tif 000016
2019159324.tif 000017
2019159324.tif 000018
2019159324.tif 000019
2019159324.tif 000020
2019159324.tif 000021
2019159324.tif 000022